(57)【要約】【課題】特定の音声関連情報を異なるプレーヤ間で再生するための音声関連情報の管理情報のデータ構造及び情報記録再生装置並びに方法を提供する。【解決手段】第１のコーディングモード（α）によりコーディングされた音声情報が記録された第１の記録領域と、あらゆるプレーヤで必ず再生できる第２のコーディングモード（β）によりコーディングされた上記の音声情報が記録された第２の記録領域とを含む記録領域と、この記録領域に関する管理情報が記録された管理領域であり、音声関連情報の再生手順を示す再生手順情報を少なくとも有している。このようなデータ構造をもつ音楽関連情報が記録された情報記憶媒体、又はこのような情報記憶媒体を扱う情報再生装置と情報記録装置並びにこれらの方法。【選択図】    図１
2005100624.tif 000002
【特許請求の範囲】
【請求項１】
音声関連情報が記録された情報記憶媒体であって、
音声情報が少なくとも記録された記録領域であり、第１のコーディングモードによりコーディングされた音声情報が記録された第１の記録領域と、あらゆるプレーヤで必ず再生できる第２のコーディングモードによりコーディングされた音声情報が記録された第２の記録領域とを含む記録領域と、
前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域と、
を有する音楽関連情報が記録されたことを特徴とする情報記憶媒体。
【請求項２】
前記管理領域の前記再生手順情報は、前記互いに異なるペアの再生単位の情報を有する音楽関連情報が記録されたことを特徴とする請求項１記載の情報記憶媒体。
【請求項３】
前記管理領域の前記再生手順情報は、前記第１のコーディングモードと前記第２のコーディングモードとにそれぞれ対応する、互いに異なるペアの再生単位の情報を有する音楽関連情報が記録されたことを特徴とする請求項１記載の情報記憶媒体。
【請求項４】
情報記憶媒体に記録された音楽関連情報を再生する情報再生装置であって、
音声情報が少なくとも記録された記録領域であり、第１のコーディングモードによりコーディングされた音声情報が記録された第１の記録領域と、あらゆるプレーヤで必ず再生できる第２のコーディングモードによりコーディングされた音声情報が記録された第２の記録領域とを含む記録領域と、  前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域と、を有する音楽関連情報が記録された情報記憶媒体から情報を読み出す読出手段と、
前記読出手段が読み出した読出情報に基づき、前記第１のコーディングモードによりコーディングされた第１の記録領域に記録された音声情報と、前記第２のコーディングモードによりコーディングされた第２の記録領域に記録された音声情報との少なくとも一方を再生する再生手段と、を具備することを特徴とする情報再生装置。
【請求項５】
前記情報記憶媒体の前記管理領域の前記再生手順情報は、前記互いに異なるペアの再生単位の情報を有する音楽関連情報が記録されたことを特徴とする請求項４記載の情報再生装置。
【請求項６】
前記情報記憶媒体の前記管理領域の前記再生手順情報は、前記第１のコーディングモードと前記第２のコーディングモードとにそれぞれ対応する、互いに異なるペアの再生単位の情報を有する音楽関連情報が記録されたことを特徴とする請求項４記載の情報再生装置。
【請求項７】
情報記憶媒体に記録された音楽関連情報を再生する情報再生方法であって、
音声情報が少なくとも記録された記録領域であり、第１のコーディングモードによりコーディングされた音声情報が記録された第１の記録領域と、あらゆるプレーヤで必ず再生できる第２のコーディングモードによりコーディングされた音声情報が記録された第２の記録領域とを含む記録領域と、前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域と、を有する音楽関連情報が記録された情報記憶媒体から情報を読み出す読出工程と、
前記読出工程で読み出した読出情報に基づき、前記第１のコーディングモードによりコーディングされた第１の記録領域に記録された音声情報と、前記第２のコーディングモードによりコーディングされた第２の記録領域に記録された音声情報との少なくとも一方を再生する再生工程と、を具備することを特徴とする情報再生方法。
【請求項８】
前記情報記憶媒体の前記管理領域の前記再生手順情報は、前記互いに異なるペアの再生単位の情報を有する音楽関連情報が記録されたことを特徴とする請求項７記載の情報再生方法。
【請求項９】
前記情報記憶媒体の前記管理領域の前記再生手順情報は、前記第１のコーディングモードと前記第２のコーディングモードとにそれぞれ対応する、互いに異なるペアの再生単位の情報を有する音楽関連情報が記録されたことを特徴とする請求項７記載の情報再生方法。
【請求項１０】
音楽関連情報を受け情報記憶媒体に記録する情報記録装置であって、
第１のコーディングモードでコーディングされた音声情報を有する音楽関連情報を受け、これに基づき、あらゆるプレーヤで必ず再生できる第２のコーディングモードによりコーディングされた音声情報を生成する生成手段と、
前記生成手段が生成した第２のコーディングモードによりコーディングされた音声情報と、前記第１のコーディングモードでコーディングされた音声情報とに基づき、情報記憶媒体へ、
音声情報が少なくとも記録された記録領域であり、前記第１のコーディングモードによりコーディングされた音声情報が記録された第１の記録領域と、前記第２のコーディングモードによりコーディングされた音声情報が記録された第２の記録領域とを含む記録領域と、前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域と、を有する音楽関連情報を記録する記録手段（１０９）と、を具備することを特徴とする情報記録装置。
【請求項１１】
前記情報記憶媒体の前記管理領域の前記再生手順情報は、前記互いに異なるペアの再生単位の情報を有する音楽関連情報が記録されたことを特徴とする請求項１０記載の情報記録装置。
【請求項１２】
前記情報記憶媒体の前記管理領域の前記再生手順情報は、前記第１のコーディングモードと前記第２のコーディングモードとにそれぞれ対応する、互いに異なるペアの再生単位の情報を有する音楽関連情報が記録されたことを特徴とする請求項１０記載の情報記録装置。
【請求項１３】
音楽関連情報を受け情報記憶媒体に記録する情報記録方法であって、
第１のコーディングモードでコーディングされた音声情報を有する音楽関連情報を受け、これに基づき、あらゆるプレーヤで必ず再生できる第２のコーディングモードによりコーディングされた音声情報を生成する生成工程と、
前記生成工程で生成した前記第２のコーディングモードによりコーディングされた音声情報と、前記第１のコーディングモードでコーディングされた音声情報とに基づき、情報記憶媒体へ、
音声情報が少なくとも記録された記録領域であり、前記第１のコーディングモードによりコーディングされた音声情報が記録された第１の記録領域と、前記第２のコーディングモードによりコーディングされた音声情報が記録された第２の記録領域とを含む記録領域と、  前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域と、を有する音楽関連情報を記録する記録工程（１０９）と、を具備することを特徴とする情報記録方法。
【請求項１４】
前記情報記憶媒体の前記管理領域の前記再生手順情報は、前記互いに異なるペアの再生単位の情報を有する音楽関連情報が記録されたことを特徴とする請求項１３記載の情報記録方法。
【請求項１５】
前記情報記憶媒体の前記管理領域の前記再生手順情報は、前記第１のコーディングモードと前記第２のコーディングモードとにそれぞれ対応する、互いに異なるペアの再生単位の情報を有する音楽関連情報が記録されたことを特徴とする請求項１３記載の情報記録方法。
【発明の詳細な説明】
【技術分野】
【０００１】
この発明は、情報記録再生装置及びこの方法に関し、特に音楽関連情報を扱う情報記録再生装置及びこの方法とコンピュータプログラム並びに情報記憶媒体とデータ構造に関するものである。
【背景技術】
【０００２】
最近、音声関連情報が記録されたディスク状の情報記憶媒体（光ディスク）としてはＣＤ−ＤＡ（Compact Disk Digital Audio）やＭＤ（Magneto-optical Disk）が現在良く知られている。
【０００３】
ＣＤ−ＤＡの記録フォーマットとしては、テレビジョン学会編：総合マルチメディア選書  ディジタルＡＶ規格ガイドブック（１９９４年，オーム社）ｐ．８
に記載されているように、オーディオオブジェクト（音声）情報はリニアＰＣＭ（Linear PCM）という形式でディスク上に記録され、その記録されたオーディオオブジェクト（音声）情報に関する管理情報はＴＯＣ（Table of Contents）と呼ばれる管理領域に記録されている。
【０００４】
又ＭＤの記録フォーマットとしては、ＮＨＫ放送技術研究所編：マルチメディア時代のディジタル放送技術事典（１９９４年，丸善株式会社）１２７頁に記載されているように、オーディオオブジェクト（音声）情報は、ＡＴＲＡＣ（Adaptive TRansform Acoustic Coding）という圧縮方法で情報圧縮されてディスク上に記録され、その記録されたオーディオオブジェクト（音声）情報に関する管理情報は同じくＴＯＣ（Table of Contents）と呼ばれる管理領域に記録されている。
【０００５】
ＣＤ−ＤＡとＭＤのいずれもオーディオオブジェクト（音声）情報はそれぞれリニアＰＣＭ（Linear Pulse Code Modulation）、ＡＴＲＡＣ（Adaptive TRansform Acoustic Coding）という唯一の形式（コーディングモード）でディスク状の情報記憶媒体内に記録される。それに対応して全てのＣＤプレーヤ内にはリニアＰＣＭのデコード回路が内蔵されているので、あらゆるＣＤプレーヤでＣＤ−ＤＡの規格に従って記録されたオーディオオブジェクト（音声）情報の再生互換性が確保されている。同様に全てのＭＤプレーヤ内にはＡＴＲＡＣに対応したデコード回路が内蔵されているので、ＭＤディスクに記録されたオーディオオブジェクト（音声）情報に対する再生互換性が確保されている。
【０００６】
近年、オーディオオブジェクト（音声）情報の電子配信が活発に行われるようになって来た。これは電話回線やインターネット回線を経由して情報圧縮したオーディオオブジェクト（音声）情報が配信され、受け取った情報量に応じて課金させるシステムである。ユーザは受け取ったオーディオオブジェクト（音声）情報をメモリーカードやＭＤディスク内に一時保存し、一時保存されたメモリーカード（やＭＤ）から何度も音声情報（オーディオオブジェクト）の再生が可能となる。
【０００７】
配信される時のオーディオオブジェクト（音声）情報の情報圧縮方法は配信業者により異なり、ＭＰＥＧ（Motion Picture Experts Group）Ａｕｄｉｏ＿ＬａｙｅｒIIやＡＴＲＡＣ３、Ｄｏｌｂｙ社が開発したＡＣ−３（Audio Code number 3）、ＡＡＣ（Advanced Audio Coding）などの多種多様な圧縮方法が採用されている。従ってメモリーカードのオーディオ・プレーヤは配信業者の圧縮方法によっては再生できない場合がある。
【０００８】
現在ＤＶＤフォーラムではオーディオレコーディング（Audio Recording）規格が検討中であるが、この規格に従って音声情報が記録される光ディスク（記録可能なＤＶＤディスク）の用途として、『（１）電子配信された音声関連情報をこの光ディスクに一時保存し、この光ディスクに保存された音声関連情報の一部をそのまま、あるいは一部編集してメモリーカードに記録し直す』という方法が視野に入っている。この用途で使用する場合にはオーディオオブジェクト（音声）情報を配信された時の情報圧縮方法そのままの形式で光ディスクに記録したいという強い要求がある。それと同時に、『（２）家庭用の専用レコーダーで音声関連情報を録音したり、家庭用の専用プレーヤで光ディスクに保存された音声関連情報を再生する』という用途も検討されている。
【０００９】
上記の（１）の用途に合わせて配信された時の情報圧縮方法（コーディングモード）そのままの形式でオーディオオブジェクト（音声）情報を光ディスクに記録した場合を考える。この場合、上記の（２）の用途に合わせてこの光ディスクをもち運び、家庭用の専用プレーヤで記録されたオーディオオブジェクト（音声）情報を再生しようとしても特殊な情報圧縮方法（コーディング方法）で記録されたために再生することができない（プレーヤ間での再生互換性を確保できない）。
【００１０】
これに対して、互換性のあるリニアＰＣＭ（Linear PCM）を用いて音声情報等を再生する光ディスク装置を開示する従来技術として、特開平１１−１２０７４８号公報がある。この公報に示される光ディスク装置は、プレーヤ間で互換性のあるリニアＰＣＭによる音声情報を対象としており、この音声情報を扱う限りはプレーヤ間での互換性が確保されており、自由に再生することができる。しかし、互換性のない専用のコーディング方法による音声情報を対象とするものではなく、専用のプレーヤでしか再生できない音声情報に対しては、多くのプレーヤ間で互換性をもたせて再生することがでいないという問題がある。
【発明の開示】
【発明が解決しようとする課題】
【００１１】
すなわち、従来装置においては、特有の情報圧縮方法（コーディング方法）で記録された音声情報を光ディスク等の記録媒体に記録した際に、この光ディスクに記録された音声情報を他のプレーヤで再生することができないという互換性の問題がある。
【００１２】
本発明は、電子配信された音声関連情報を配信された時の情報圧縮方法のままの形式で光ディスクに記録できると同時に、異なるプレーヤ間で再生の互換性を確保する情報圧縮方法（コーディングモード）でも音声情報を生成し記録した音声関連情報の情報記憶媒体への記録再生方法及び記録再生装置と、情報記憶媒体へ記録される音声関連情報に関する管理情報のデータ構造とを提供することを目的とする。
【課題を解決するための手段】
【００１３】
本発明は、音声関連情報が記録された情報記憶媒体であって、音声情報が少なくとも記録された記録領域であり、所定のコーディングモードによりコーディングされた音声情報が記録された第１の記録領域と、あらゆるプレーヤで必ず再生できるコーディングモードによりコーディングされた音声情報が記録された第２の記録領域とを含む記録領域と、前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域とを有する音楽関連情報が記録されたことを特徴とする情報記憶媒体である。
【００１４】
本発明の情報記憶媒体は上記したように、独自のオーディオコーディングモードで音声情報を記録するだけではなく、例えば、全てのプレーヤで再生できるリニアＰＣＭ等のオーディオコーディングモード（β）でも同一の音声情報を情報記憶媒体に記録するものである。これにより、ユーザは、従来、互換性のない独自のオーディオコーディングモードでコーディングされた音声情報についても、全ての音声情報のプレーヤで互換性をもって再生することができる。
【００１５】
更に本発明は、情報記憶媒体に記録された音楽関連情報を再生する情報再生装置であって、音声情報が少なくとも記録された記録領域であり、所定のコーディングモードによりコーディングされた音声情報が記録された第１の記録領域と、あらゆるプレーヤで必ず再生できるコーディングモードによりコーディングされた音声情報が記録された第２の記録領域とを含む記録領域と、  前記記録領域に関する管理情報が記録された管理領域であり、音声関連情報の再生手順を示す再生手順情報を有しており、この再生手順情報は、再生単位の繋がりで前記音声情報の再生手順を示し、前記第１記録領域と前記第２記録領域において、前記音声情報を互いに異なる再生単位として管理し、前記音声情報の再生の際に参照されるコーディングモード情報を有するものである、管理領域と、を有する音楽関連情報が記録された情報記憶媒体から情報を読み出す読出手段と、前記読出手段が読み出した読出情報に基づき、前記所定のコーディングモードによりコーディングされた第１の記録領域に記録された音声情報と、前記あらゆるプレーヤで必ず再生できるコーディングモードによりコーディングされた第２の記録領域に記録された音声情報との少なくとも一方を再生する再生手段とを具備することを特徴とする情報再生装置である。
【００１６】
本発明に係る情報再生装置は、上述したように少なくとも二つのコーディングモードに応じてコーディングされた音声情報等を有する音楽関連情報が記録された情報記憶媒体を対象としている。従って、従来装置のように、光ディスクに記録された音声情報を、固有のコーディングモードを対象とするプレーヤでしか再生できないということはなく、どのようなコーディングモードのプレーヤでも再生することができる互換性を有しているため、非常に使い勝手がよい音楽関連情報の再生を可能とするものである。
【発明の効果】
【００１７】
本発明は、第１のコーディングモードは異なる情報再生装置間での独自性をもち（すなわち特定の情報再生装置では再生不可能を許容し）、第２のコーディングモードは異なる情報再生装置間での互換性を確保する（全ての情報再生装置で再生可能を必須とする）ように設定した場合、独自のコーディングモードでコーディングされた入手音声情報をそのままの第１のコーディングモードで情報記憶媒体に記録できると共に、互換性が確保された第２のコーディングモードでも同時に情報記憶媒体に記録することにより、他の情報再生装置でも同じ音声情報を再生可能にし、情報記憶媒体の再生コンパチビリティを保証することができる。
【発明を実施するための最良の形態】
【００１８】
以下、図面を参照しながら本発明の実施形態について詳細に説明する。
【００１９】
図１は、本発明に係る音楽関連情報により行われる情報記録処理及び情報再生処理を説明するための概要図、図２は、本発明に係る音楽関連情報の詳細なデータ構造を示すデータ構造図、図３は、本発明に係る音楽関連情報のディレクトリの概略を説明するディレクトリ図である。
【００２０】
＜本発明に係る音楽関連情報のポイント＞
本発明に係る音楽関連情報のポイントは、下記の（ａ）〜（ｆ）の組み合わせとして示される。
【００２１】
（ａ）あらゆるプレーヤで必ず再生できるコーディング方法（コーディングモード）として、リニアＰＣＭ（Linear PCM）とパックドＰＣＭ（Packed PCM）を設定する。
【００２２】
上記２種類の共通なコーディング方法（コーディングモード）で情報記憶媒体に記録されたオーディオオブジェクト（音声）情報は全てのプレーヤで再生できるため、再生互換性を確保できる。
【００２３】
（ｂ）電子配信されたオーディオオブジェクト（音声）情報を、配信された時の情報圧縮方法（コーディングモード）そのままの形式で第１のコーディングモードとして情報記憶媒体に記録する。
【００２４】
（ｃ）上記（ｂ）と同時に電子配信されたオーディオオブジェクト（音声）情報を（ａ）で規定された共通のコーディングモードでコーディングし直し、第２のコーディングモードとして情報記憶媒体に記録する。
【００２５】
（ｄ）オーディオオブジェクト（音声）情報に対する管理情報は１個以上のセルの繋がりで再生手順を示すＰＧＣ（Program Chain）により管理する。上記（ｂ）（ｃ）に示した第１および第２のコーディングモードで記録されたそれぞれのオーディオオブジェクト（音声）情報は互いに異なるセル（又はプログラム（Program））に属させ、かつこの２個のセル（又はプログラム）はペアとしてセルブロック（又はプログラムブロック）を構成させる。
【００２６】
（ｅ）ＰＧＣに関する情報が記載されたＰＧＣ情報（PGC Information）内では共通のコーディングモードである第２のコーディングモードで記録されたオーディオオブジェクト（音声）情報に対応したセル（又はプログラム）に関する情報を先に、独自のコーディングモードである第１のコーディングモードで記録されたオーディオオブジェクト（音声）情報に対応したセル（又はプログラム）に関する情報を後に記載する。
【００２７】
（ｆ）セルに関する情報が記録されているセル情報（Cell Information）内では、“該当セルがセルブロックを構成しているか否か”、そして、“該当セルがセルブロックを構成している場合に先に記載されるセルか（共通のコーディングモードに対応しているか）又は後に記載されるセルか（独自のコーディングモード対応か）”に関する情報が記載される。
【００２８】
又、プレーヤはＰＧＣ内のセルブロック（又はプログラムブロック）内の情報を再生し、プレーヤが再生に対応しているコーディングモードに応じて前又は後ろに記載された一方のみのセル情報で指定されたオーディオオブジェクト（音声）情報のみを再生する。
【００２９】
＜具体的な実施形態の説明＞
図１を用いて本発明における情報記録再生装置又は情報再生装置の動作原理について説明する。
【００３０】
図１において、電話回線やインターネット回線を経由して情報圧縮したオーディオオブジェクト（音声）情報がオーディオ・コンテンツプロバイダＰＤから配信される。前述したように配信される時のオーディオオブジェクト（音声）情報の情報圧縮方法は配信業者により異なり、多種多様な圧縮方法が採用されている。ここでは５曲目の曲を独自のオーディオコーディングモードαで情報圧縮されて転送されて来る。
【００３１】
この情報をディスク形状の情報記憶媒体Ｄに記録する場合には、図３に示すように全音声情報（Audio Object）がＡＲ＿ＡＵＤＩＯ．ＡＲＯファイル６にまとめて記録される。１〜５曲目までの転送された音声情報を転送時の独自のオーディオコーディングモードαのまま情報記憶媒体に記録する。又それと並行して図１に示した実施形態では３曲目と５曲目をあらゆるプレーヤで共通に再生（デコード）できる共通のオーディオコーディングモードβに再エンコードし直して記録する所に本発明の大きな特徴がある。
【００３２】
このように情報記憶媒体Ｄ上に記録されたオーディオオブジェクトに関する管理情報の特徴を以下に説明する。図１に示した実施形態では３曲目と５曲目という同一の音声情報が異なるオーディオコーディングモードで２度記録されている。各オーディオコーディングモード毎に管理上でセルを分け、同一の曲毎にセルブロックを構成する。すなわち３曲目の互いに異なるオーディオコーディングモードで記録された音声情報に対してセル情報＃３＿６４と＃４＿６５をそれぞれ対応させ、この２個のセル情報を集めて１個のセルブロック＃Ａ７１を構成させる。
【００３３】
このような情報が記録された情報記憶媒体Ｄから情報再生装置（プレーヤ）で再生する場合、独自のオーディオコーディングモードαに対するデコード回路を内蔵している情報再生装置（Ｉ）Ｒ２ではオーディオコーディングモードαを使って再生するため１〜５曲目まで連続再生が可能となる。
【００３４】
それに対して独自のオーディオコーディングモードαに対するデコード回路を内蔵してない情報再生装置（II）Ｒ３では共通なオーディオコーディングモードβを使って再生するため、その情報が記録されている３曲目と５曲目のみを再生することになる。
【００３５】
図２に本発明の実施形態によって情報記憶媒体Ｄ上に記録される管理情報内容を示す。
【００３６】
図２の（ａ）に示すディスク形状の情報記憶媒体Ｄは、（ｂ）に示すようにリードイン領域１０とボリュームおよびファイル構造の情報１１、データ領域１２、リードアウト領域１３とを有している。
【００３７】
書き換え可能なディスク形状の情報記憶媒体Ｄ内のユーザが情報を記録できる領域であるデータ領域１２内には、一般コンピュータ情報記録領域２０とオーディオ・ビデオ関連情報記録領域２１が混在して存在できるフォーマットになっている。オーディオ・ビデオのコンテンツ情報はオブジェクトと呼ばれ、音声コンテンツ情報（オーディオオブジェクト情報）はオーディオオブジェクト記録領域３３内に記録されている。本発明の実施形態においては音声情報（オーディオオブジェクト）再生と同時に静止画像（オーディオ・スチルビデオオブジェクト）が表示可能になっている。本発明において上記静止画像は、オーディオ・スチルビデオオブジェクト記録領域３２内に記録されている。本発明の実施形態では上記音声情報（オーディオオブジェクト）、静止画像情報（オーディオ・スチルビデオオブジェクト）、および音声情報に関連したテキスト情報を総称して“音声関連情報”と呼んでいる。これらのオブジェクト情報（コンテンツ情報）の内容、属性情報、表示のための制御情報などは図２の（ｄ）に示すように管理情報記録領域３０内にまとめて記録されている。
【００３８】
各オブジェクト情報（コンテンツ情報）はオブジェクト内容毎に１個ずつの独立ファイル内に記録されている。すなわち図３に示すように全音声情報（Audio Object）はＡＲ＿ＡＵＤＩＯ．ＡＲＯファイル６にまとめて記録されており、全静止画像情報（Still Picture）はＡＲ＿ＳＴＩＬＬ．ＡＲＯファイル７内にまとめて記録されている。これらのオブジェクトファイルを統合的に管理する管理情報記録領域３０内の情報はＡＲ＿ＭＡＮＧＲ．ＩＦＯファイル６とそのバックアップファイルであるＡＲ＿ＭＡＮＧＲ．ＢＵＰファイル８に記録されている。又、このＡＲ＿ＡＵＤＩＯ．ＡＲＯファイル６として情報記憶媒体Ｄ上に記録された領域がオーディオオブジェクト記録領域３３に対応し、ＡＲ＿ＳＴＩＬＬ．ＡＲＯファイル７として情報記憶媒体Ｄ上に記録された領域がオーディオ・スチルビデオオブジェクト記録領域３２に対応する。
【００３９】
音声関連情報に関する録音（ないし記録）・再生が可能な情報記憶媒体に記録する管理情報のデータ構造の骨格部は図１の（ｅ）に示すように互換性を重視してＤＶＤフォーラムで制定したビデオレコーディング（Video Recording）規格と類似した構造をもっている。管理情報記録領域３０内に共通したマネージャ情報がＲＴＲオーディオマネージャ情報（ＲＴＲ＿ＡＭＧＩ）４０内に記録され、ＡＲ＿ＡＵＤＩＯ．ＡＲＯファイル６内にまとめられたオーディオオブジェクト記録領域３３内のオーディオオブジェクトに関する管理情報がオーディオファイル情報テーブル（ＡＵＤＦＩＴ）４３内に記録されている。又、ＡＲ＿ＳＴＩＬＬ．ＡＲＯファイル７内にまとめられたオーディオ・スチルビデオオブジェクト記録領域３２内のオーディオ・スチルビデオオブジェクトに関する管理情報がオーディオ・スチルビデオファイル情報テーブル（ＡＳＶＦＩＴ）４２内に記録されている。音声関連情報を構成する音声情報に関連したテキスト情報はテキストデータマネジャ（ＴＸＴＤＴ＿ＭＧ）４６内にまとめて記録される。更に製造者情報テーブル（ＭＮＦＩＴ）４７が設けられている。
【００４０】
更にＰＧＣ情報４４は、ＰＧＣ一般情報（ＰＧＣ＿ＧＩ）５０と、プログラム情報＃１〜ｎ（ＰＧＩ）５１、５２、ＣＩサーチポインタ（ＣＩ＿ＳＲＰ）＃１〜ｎ＿６０，６１、セル情報（ＣＩ）＃１〜ｍ＿６２〜６９を有している。
【００４１】
ここで、ＤＶＤフォーラムが１９９９年９月に制定した、『Part 3：VIDEO RECORDING DVD Specifications for Rewritable / Re-recordable Discs』の規格と同様、音声関連情報の再生手順を示す情報は、ＰＧＣ情報（ＰＧＣＩ）４４内に記録されている。すなわち再生するための音声関連情報内の連続再生する最小基本単位をセル（Cell）と呼び、そのセルのつながりとして再生手順であるＰＧＣ（Program Chain）が構成される。セルに関する管理情報は管理情報記録領域３０内に記録されているセル情報（ＣＩ：Cell Information）＃１＿６２〜＃ｍ＿６９内に全て記録されている。１個のセルが音声情報（Audio Object）が記録されているＡＲ＿ＡＵＤＩＯ．ＡＲＯファイル６内のどの範囲を再生するかを示す情報が上記セル情報（ＣＩ）＃１＿６２〜＃ｍ＿６９内に記録されている。１個のＰＧＣ情報に従って再生する音声関連情報の再生手順は基本的には図１の（ｆ）に示すようにそのＰＧＣ情報（ＰＧＣＩ）４４を構成するセル情報（ＣＩ）＃１＿６２〜＃ｍ＿６９の配置順に再生・表示する。しかし、該当セルがセルブロック＃Ａ＿７１、＃Ｂ＿７２を構成する場合にはプレーヤは内蔵しているデコーダに対応したオーディオコーディングモードに対応してセルブロック＃Ａ＿７１、＃Ｂ＿７２を構成する各セル＃３＿６４と＃４＿６５のペア又は＃６＿６７と＃７＿６８のペアの中のどちらか一方のみずつを再生する。
【００４２】
図２の（ｆ）に示したＣＩサーチポインタ（ＣＩ＿ＳＲＰ）＃１＿６０〜＃ｍ＿６１は対応するセル情報が記録されている最初のアドレス情報を指定し、各セル情報に対するアクセスの高速化を確保している。例えばＣＩサーチポインタ（ＣＩ＿ＳＲＰ）＃１＿６０はその後で記載され、対応する＃１のセル情報（ＣＩ）６２の記録開始アドレスとしてＰＧＣ情報（ＰＧＣＩ）４４の書き出し位置からの相対的なブロック数の差分値として記録されている。ここで１ブロックは２ｋバイトのデータサイズを意味している。
【００４３】
図２の（ｆ）で示す１プログラムとは基本的にはオーディオの“１曲”の範囲を示し、１プログラム内に１個以上のセルから構成される。プログラム情報（ＰＧＩ）＃１＿５１〜＃ｎ＿５２内には該当するプログラム内に含まれるセルの数情報が記録されており、その情報からプログラムとセルの対応が分かる。
【００４４】
各セル情報（ＣＩ）＃１＿６２〜＃ｍ＿６９内のデータ構造はセルに関する一般情報が記載されたセル一般情報（Ｃ＿ＧＩ）７６とセルエントリポイント情報（Ｃ＿ＥＰＩ）＃１＿７７〜＃ｋ＿７８から構成される。セルエントリポイント情報（Ｃ＿ＥＰＩ）＃１＿７７〜＃ｋ＿７８には、（１）セル内の音声内容を示す代表オーディオの開始と範囲を示す情報、（２）交響曲などの楽章や歌の番号、あるいは無音期間範囲を示すインデックス情報のいずれかの情報が記録されている。
【００４５】
セル内の開始位置から（２）の最初のインデックス位置を示すエントリー・ポイント位置がずれた場合にはそのずれた間が無音期間に対応する。
【００４６】
セル一般情報（Ｃ＿ＧＩ）７６内には図２の（ｉ）に示す各種の情報が記録される。ＤＶＤフォーラムでは、１９９９年９月に制定したビデオ・レコーディング規格、『Part 3：VIDEO RECORDING DVD Specifications for Rewritable / Re-recordable Discs』では、対応するムービーセル（映像セル）の開始／終了位置設定をＰＴＭ（Presentation Time）で指定している。
【００４７】
これに対して本発明では、オーディオセルの開始位置を、「該当セルの開始アドレスＣ＿ＳＡ８６」と「オーディオパック内の開始アクセスユニット番号Ｃ＿ＳＡＵ＿８７」で指定し、オーディオセルの終了位置を、「該当セルの終了アドレスＣ＿ＥＡ＿８８」と「オーディオパック内の最終アクセスユニット番号＿Ｃ＿ＥＡＵ＿８９」により指定することに本発明の大きな特徴がある。これらの４つの情報を以下に詳細に説明する。
【００４８】
すなわち、「該当セルの開始アドレスＣ＿ＳＡ８６」は、ＡＲ＿ＡＵＤＩＯ．ＡＲＯファイル６内に記録されている該当セルの指定範囲が含まれるＡＯＢ（Audio Object）の開始アドレスから該当セルの開始位置が含まれるオーディオパックが存在する位置までの相対的（差分の）ロジカルブロック数で表示される。ロジカルブロック番号は実データが２ｋバイト毎に設定され、この２ｋバイト毎に１個のオーディオパックが構成されている。
【００４９】
又、「オーディオパック内の開始アクセスユニット番号Ｃ＿ＳＡＵ＿８７」において、アクセスユニットとはリニアＰＣＭではオーディオ・フレームのことを意味し、他の圧縮コーディングモードでは音声オブジェクト情報の最小の圧縮単位を意味する。実データ２ｋバイト毎に存在する。
【００５０】
オーディオパックは図示してないが“パックヘッダ”、“パケットヘッダ”、“プライベートヘッダ”、“オーディオ（オブジェクト）データの記録領域（ペイロード）”から構成されている。このペイロードの中にアクセスユニットが詰まって配置されている。圧縮コーディングモードの場合には各アクセスユニットサイズが変化するため、各ペイロードの境界位置とアクセスユニット境界位置が不一致の場合が多く、１個の同一のアクセスユニットが互いに隣接する２個のオーディオパックに跨って配置される場合が多い。上記のアクセスユニット番号にはこのように同じくオーディオセルの終了位置を２個のオーディオパックに跨って配置されたアクセスユニットはカウントせず、ペイロード内の最初に完全な形で配置されたアクセスユニットを１番目としてカウントし、そのアクセスユニットを含めたペイロード内の何番目のアクセスユニットを構成する音声情報が対応するセルの先頭位置を示すかを示す。“該当セルの開始アドレスＣ＿ＳＡ＿８６”で指定されたアドレスに存在するオーディオパック内のペイロード中の何番目のアクセスユニットであるかを示している。
【００５１】
更に、「該当セルの終了アドレスＣ＿ＥＡ＿８８」は、ＡＲ＿ＡＵＤＩＯ．ＡＲＯファイル６内に記録されている該当セルの指定範囲が含まれるＡＯＢ（Audio Object）の開始アドレスから該当セルの終了位置のアクセスユニットが含まれるオーディオパックが存在する位置までの相対的（差分の）ロジカルブロック数で表示されるものである。
【００５２】
更に、「オーディオパック内の最終アクセスユニット番号＿Ｃ＿ＥＡＵ＿８９」は、該当するセルの終了位置を示す音声（オブジェクト）情報が記録されているアクセスユニットが“該当セルの終了アドレスＣ＿ＥＡ＿８８”で指定されたアドレスに存在するオーディオパック内の“オーディオ（オブジェクト）データの記録領域（ペイロード）”中の何番目の完全なアクセスユニットかを示し、互いに隣接する２個のオーディオパックに跨って配置されるアクセスユニットはカウントには含まない。
【００５３】
このように本発明の実施形態においては、４つの情報により、オーディオセルの開始位置と終了位置とが特定される。
【００５４】
ビデオ・レコーディング規格ではビデオ・オブジェクトの管理情報内にビデオ・オブジェクト・ファイル内のアドレス情報と再生時間の関係を示すタイム・マップ情報が記録されている。その結果、セルの開始／終了位置をＰＴＭ（Presentation Time）で示し、タイム・マップ情報を活用してビデオ・オブジェクト・ファイル内のアクセス位置を割り出すことができると共に、非常に細かい精度で開始／終了位置を指定できる。
【００５５】
それに対して本発明ではオーディオファイル情報テーブル（ＡＵＤＦＩＴ）４３内にタイム・マップ情報をもたない。オーディオオブジェクト記録領域３３内に全て圧縮コーディングモードの音声（オーディオオブジェクト）情報を記録した場合、非常に膨大な曲数が記録できる。各曲毎にタイム・マップ情報をもつとオーディオファイル情報テーブル（ＡＵＤＦＩＴ）４３のデータ量が非常に大きくなり、プレーヤの負担が増大するという問題が生じる。その問題を回避するため、本発明では図２の（ｉ）に示すセルの開始／終了位置の設定方法を採用することでオーディオファイル情報テーブル（ＡＵＤＦＩＴ）４３内にタイム・マップ情報をもつ必要がなくなり、結果として管理情報記録領域３０のデータサイズを小さくできるという効果がある。
【００５６】
セル一般情報（Ｃ＿ＧＩ）７６内のセルタイプ Ｃ＿ＴＹ＿８１内に図２の（ｊ）に示すようにセルブロックモード情報９２が記録されている。図２の（ｇ）に示すようにセルブロックを構成しない単独のセルに関するセル情報（ＣＩ）＃１＿６２、＃２＿６３、＃５＿６６、＃ｍ＿６９内のセルブロックモード情報９２はセルブロックを構成しないため“００”と記録されている。セル情報（ＣＩ）＃３＿６４、＃４＿６５、＃６＿６７、＃７＿６８は図２の（ｇ）に示すようにセルブロックを構成する。セル情報（ＣＩ）＃３＿６４と＃６＿６７はセルブロック＃Ａ＿７１ と ＃Ｂ＿７２ 内の前（最初）に位置しているので、セルブロックモード情報９２は“０１”が記録され、セル情報（ＣＩ）＃４＿６５と＃７＿６８はセルブロック＃Ａ＿７１と＃Ｂ＿７２内の後ろ（最後）に位置しているので、セルブロックモード情報９２は“１１”が記録される。このようにセルブロックモード情報９２を解釈することでどのセルがセルブロックを構成し、セルブロック内の前後配置がどのようになっているかを判別できる。
【００５７】
図２では管理情報としてセルブロックを構成することで配信された同一内容（コンテンツ内容が同じ）の音声情報（オーディオオブジェクト）を異なるオーディオコーディングモードでオーディオオブジェクト記録領域３３内に記録した情報を管理する方法を示した。本発明は上記セルブロックでの管理に限らず、図２の（ｆ）に示したプログラム情報（ＰＧＩ）＃１＿５１〜＃ｎ＿５２に対してプログラムブロックを構成し、図示してないがプログラム情報（ＰＧＩ）＃１＿５１〜＃ｎ＿５２内のプログラムタイプ情報内にセルブロックモード情報をもたせ、対応するプログラムの内のどのプログラムがプログラムブロックを構成し、プログラムブロック内の前後配置がどのようになっているかを管理する方法も本発明範囲に含まれる。
【００５８】
図２の（ｇ）に示すように本発明の実施形態では、同一のセルブロック＃Ａ＿７１を構成するセルに対応したセル情報（ＣＩ）＃３＿６４と＃４＿６５はＰＧＣ情報（ＰＧＣＩ）４４内では必ず連続して説明される。又同一のセルブロック＃Ａ＿７１内では、
（１）最初に記載されるセル情報（ＣＩ）＃３＿６４にはリニアＰＣＭ又はパックドＰＣＭのいずれかで定義される共通のコーディングモードで記録された音声情報を指定するセルに対応したセル情報が記録され、
（２）最後に記載されるセル情報（ＣＩ）＃４＿６５にはリニアＰＣＭ又はパックドＰＣＭのいずれかにも属さないそれ以外のオーディオコーディングモードで定義された独自のコーディングモードで記録された音声情報を指定するセルに対応したセル情報が記録される。
【００５９】
さらに同一のセルブロック＃Ａ＿７１を構成する各セルの再生時間は互いに１秒以上のずれが生じないように設定する。それによりどちらのオーディオコーディングモードで再生しても再生時間に大きなずれが生じないので、ユーザへ不安を与えずに済む。又、同一のセルブロック＃Ａ＿７１を構成する各セルはいずれも同一のプログラム情報（ＰＧＩ）＃１＿５１〜＃ｎ＿５２内に属する。
【００６０】
又、１個のプログラム内に複数のセルブロックが存在した場合には、同一プログラム内での各セルが指定する音声情報に対するオーディオコーディングモードについては、
（１）共通のコーディングモードの繋がりにおいて各セル毎にリニアＰＣＭとパックドＰＣＭの間で異なっても良い（つまり最初セルブロックのセルが指定した音声情報はリニアＰＣＭで記録され、次のセルブロック内のセルが指定した音声情報はパックドＰＣＭで記録されることを許可する）。
【００６１】
（２）独自のコーディングモードの繋がりにおいて各セル毎に指定した音声情報のオーディオコーディングモードは同一プログラム内では全て同一のオーディオコーディングモードでなければならない（つまり最初のセルブロックのセルが指定した音声情報はＡＴＲＡＣ３で記録され、次のセルブロック内のセルが指定した音声情報はＡＣ−３で記録されることは禁止する）。
【００６２】
＜本発明に係る情報記録再生装置＞
図４に本発明における情報記録再生装置の構造を示す。
【００６３】
ここで、情報記録再生装置は、光ディスク等の情報記憶媒体Ｄに対して記録及び再生を行うディスクドライブ部１０９を有している。更に、ディスクドライブ部１０９を用いて情報記憶媒体Ｄに情報を記録するべくエンコード処理するエンコーダ部１０１と、ディスクドライブ部１０９を用いて読み出した情報をデコード処理するデコーダ部１０２を有している。
【００６４】
更に情報記録再生装置は、入力部として、マイク１４１、Ａ／Ｖ入力部１１２、ＰＣ（Personal Computer）１４２、ＴＶチューナ部１４３、デジタルカメラ１４０等が接続され、扱うべき情報を取り込むものである。
【００６５】
又更に衛星アンテナ１２１を介して放送信号を取り込みオーディオ信号をデコーダ部１０２等へ供給しビデオ信号をエンコーダ部１０１や後述するビデオミキシング部１０５へと供給するＳＴＢ部１０３を有している。又更に、テキストデータや表示移動命令等を受けるビデオミキシング部１０５が制御バスを介して各部へと繋がれており、ビデオミキシング部１０５にはフレームメモリ１０６が接続されている。又、ビデオミキシング部１０５にはインタフェース１３４を介して外部のＰＣ１３５等に接続されている。又、Ｄ／Ａコンバータ１３６を介してディスプレイ１３７等に接続される。
【００６６】
ディスクドライブ１０９には、データプロセッサ部（Data Processing）１１０がキャッシュ等の一次記憶部１１１を伴って接続されており、データ処理を行っている。
【００６７】
これらの各部に例えばデータバス等を介して接続されているのが、全体の制御動作を司るメインＭＰＵ部（Microprocessor Unit）１０４であり、この働きは、オーディオ関連データ作成制御部、オーディオ関連データ再生制御部、オーディオ関連データ部分消去制御部等に分けられ、作業のためのワークＲＡＭ部を有している。又更に、ユーザが記録・再生処理等の操作を行うためのキー入力部１０７と、捜査情報を表示するための表示部１０８とが、メインＭＰＵ部１０４に接続される。
【００６８】
更にデータバス等にはＳＴＣ（Sysyem Time Counter又はSyetem Time Clock）０部１５０、ＳＴＣ２部１５２が接続されており、デコーダ部１０２等に接続されている。
【００６９】
又、先に説明したエンコーダ部１０１は、各入力部１４０〜１４３等からの信号をデジタル化するＡ／Ｄコンバータ１１４と、これに接続されるセレクタ１１５、セレクタ１１５からの信号を受けるビデオエンコード部１１６、Ａ／Ｄコンバータ１１４からの信号を受けるオーディオエンコード部１１７、ＰＣ１４２からの信号を受けるオーディオデコード部１１８を有している。更に、各エンコード部１１６、１１７、デコード部１１８からの信号を受け、フォーマット処理を行う、フォーマッタ部１１９とこれに接続されるバッファメモリ部１２０とを有するものである。
【００７０】
又、先に説明したデコーダ部１０２は、データバス等やデータプロセッサ部１１０に接続される、メモリ１２６を内蔵する分離部１２５を有しており、供給された信号を複数のオーディオ信号に分離して、それぞれ複数のオーディオデコード部１２９，１３０に供給する。又、先のＳＴＣ０＿１５０に接続されるＳＴＣ１＿１５１が接続され、この出力がオーディオデコード部１２９に接続される。
【００７１】
又、分離部１２６に接続されるビデオデコード部１２８の出力が、ビデオプロセッサ部１３８に接続され、この出力が先のビデオミキシング部１０５に接続される。更に、オーディオデコード部１３０の出力がインタフェース１３１を介して外部に出力される。更に、オーディオデコード部１２９，１３０の出力は、Ａ／Ｄコンバータ１３２に供給され、その出力が外部のスピーカ１３３へと出力される。
【００７２】
このような構成を有する情報記録再生装置において、以下にその記録動作を簡単に説明する。すなわち、各種入力部１４０〜１４２、１１２、１１３から入力された各種オブジェクト情報はエンコーダ部１０１でエンコードされた後にディスクドライブ部１０９を介して情報記憶媒体Ｄ上に記録される。同時にそのオブジェクト情報に関する管理情報がメインＭＰＵ部１０４内で作られ、ディスクドライブ部１０９を介して情報記憶媒体Ｄ上に記録される。オーディオ・コンテンツプロバイダＰＤからネットワークを経由して配信された音声情報は、ＰＣ（Personal Computer）１４２を経由して入力される。配信されたままのオーディオコーディングモードで記録する場合にはＰＣ１４２から転送されたオーディオオブジェクト（音声）情報はそのままの形でフォーマッタ部１１９へ転送される。オーディオコーディングモードを配信された時の形式から変更したい場合にはオーディオデコード部１１８で一度デコードし（ベースバンドに戻し）その情報をオーディオ・エンコード部１１７へ転送することでオーディオコーディングモード変換を行う。
【００７３】
又、その再生処理の概要を簡単に説明する。すなわち、再生時にはディスクドライブ部１０９を介して情報記憶媒体Ｄ内に記録されている管理情報がメインＭＰＵ部１０４内のワークＲＡＭ部内に一時記録される。このワークＲＡＭ部内に一時記録された管理情報を利用して情報記憶媒体Ｄ上に記録された再生対象のオブジェクト情報を読み取り、デコーダ部１０２でデコード後にスピーカ１３３、ＴＶ１３７あるいは表示部１０８に出力される。オーディオデコード部１３０は共通なオーディオコーディングモードであるリニアＰＣＭとパックドＰＣＭをデコードする機能をもち、オーディオデコード部１２９は本発明の情報再生装置独自のオーディオコーディングモードを再生（デコード）するためのデコード機能をもっている。
【００７４】
次に本発明の情報記録再生装置における録音方法を図５のフローチャートを用いて説明する。図５に本発明の情報記録再生装置における録音方法に関するフローチャートを示す。初めに、オーディオ・コンテンツプロバイダＰＤから図１に示すように５曲目の音声情報が独自のオーディオコーディングモードαで配信されると（ＳＴ１）、図４に示すようにＰＣ１４２を経由して情報記録再生装置内に転送される。配信されたままのオーディオコーディングモードで録音するか否かの判断をメインＭＰＵ部１０４が行う（ＳＴ２）。もしこの５曲目を共通のオーディオコーディングモードβで記録する必要がある場合には、音声情報がオーディオデコード部１１８へ転送され（ＳＴ３）、一度ベースバンドにデコードされた後、オーディオ・エンコード部１１７で共通なオーディオコーディングモードβに再エンコードされて情報記憶媒体Ｄに記録される（ＳＴ４）。オーディオオブジェクト（音声）情報の記録が終了すると、再エンコード状況に合わせてセルブロックを構成する図２に示す管理情報をメインＭＰＵ部１０４で作成し、その情報をＡＲ＿ＭＡＮＧＲ．ＩＦＯファイル５（及びそのバックアップのファイルであるＡＲ＿ＭＡＮＧＲ．ＢＵＰファイル６）として情報記憶媒体Ｄ上に記録する（ＳＴ５）。
【００７５】
次に本発明の情報記録再生装置における再生方法を図６のフローチャートを用いて説明する。図６に本発明の情報記録再生装置における再生方法に関するフローチャートを示す。ユーザから再生したいプレーリストと最初に再生する曲を指定されると（ＳＴ１１）、ディスクドライブ部１０９が情報記憶媒体Ｄ上に既に記録されているＡＲ＿ＭＡＮＧＲ．ＩＦＯファイル５を再生し（ＳＴ１２）、セルブロックの組み合わせを解釈する。次に情報記録再生装置内に内蔵されているデコーダ回路内容からセルブロック内のどちらのセルを再生するか（すなわち共通なオーディオコーディングモードβを使うかそれとも独自なオーディオコーディングモードαで再生するか）を判断する（ＳＴ１３）。独自なオーディオコーディングモードαで再生する場合には、ユーザが指定したプレーリストに沿って情報記憶媒体Ｄ上に既に記録されているＡＲ＿ＡＵＤＩＯ．ＡＲＯファイル６の該当部分を逐次再生し、図４に示したオーディオデコード部１２９で逐一デコードして出力する。
【００７６】
共通なオーディオコーディングモードβで再生する場合には、セルブロック情報７２を利用して共通なオーディオコーディングモードβで再生できる曲（図１の実施形態では１〜５曲の中の３曲目と５曲目）を選択すると共にＡＲ＿ＡＵＤＩＯ．ＡＲＯファイル６内の記録されている場所を探し、それに応じてメインＭＰＵ部１０４の制御に基づきディスクドライブ部１０９が情報記憶媒体Ｄ上の飛び飛びの位置で拾い読みし、その情報をオーディオデコード部１３０でデコードして出力する（ＳＴ１４）。
【００７７】
このように、本発明に係る音声関連情報のデータ構造によれば、従来では、プレーヤ間で互換性のない特殊なコーディングモードにより記録された音声情報でも、互換性のあるコーディングモードにより併せてデコードして光ディスク等の情報記憶媒体Ｄへと記録するものである。これにより、この情報記憶媒体Ｄに記録された音声情報の再生の際も、本来のコーディングモードで再生できると共に、どのプレーヤでも再生可能な互換性のあるリニアＰＣＭ等のコーディングモードによって再生することが可能となるものである。
【００７８】
＜本発明に係る情報記録再生装置のプログラム＞
上述した本発明に係る音楽関連情報の情報再生装置及び情報記録装置は、例えばＷｉｎｄｏｗｓ等のＯＳ（Operation System）が搭載されたＰＣ（Personal Computer）上で実行されるプログラムとして実現することができる。この場合、図５及び図６のフローチャートに応じた動作をコンピュータプログラムとして構成し、このプログラムをＰＣにインストールすることで、ＰＣ上の一つのアプリケーションとして、上述した音楽関連情報の情報再生処理及び情報記録処理を実現するものである。
【００７９】
このプログラムは、従来通りディスク等の情報記録媒体に記録された状態として扱うことができる。更に、例えばインターネット（Internet）等のネットワークを介して、プログラムの提供者のサイト（Site）、いわゆるホームページ上にユーザが直接アクセスして、プログラムデータとして、ユーザのＰＣへダウンロード（Download）することにより提供されることができる。
【００８０】
以上記載した様々な実施形態により、当業者は本発明を実現することができるが、更にこれらの実施形態の様々な変形例を想到することが当業者によって容易であり、発明的な能力をもたなくとも様々な実施形態へと適用することが可能である。このように本発明は、開示された原理と新規な特徴に矛盾しない広範な範囲に及ぶものであり、上述した実施形態に限定されるものではない。
【図面の簡単な説明】
【００８１】
【図１】本発明に係る音楽関連情報により行われる情報記録処理及び情報再生処理を説明するための概要図。
【図２】本発明に係る音楽関連情報の詳細なデータ構造を示すデータ構造図。
【図３】本発明に係る音楽関連情報のディレクトリの概略を説明するディレクトリ図。
【図４】本発明に係る情報記録再生装置の一例を示すブロック図。
【図５】本発明に係る情報記録再生装置の記録処理の一例を示すフローチャート。
【図６】本発明に係る情報記録再生装置の再生処理の一例を示すフローチャート。
【符号の説明】
【００８２】
ＰＤ…オーディオコンテンツプロバイダ、Ｒ１〜Ｒ３…情報記録再生装置、Ｄ…光ディスク、６…ＡＲ＿ＭＡＮＧＲ．ＩＦＯファイル、４４…ＰＧＣ情報、６３〜６８…セル情報、７１，７２…セルブロック
【図１】
2005100624.tif 000003
【図２】
2005100624.tif 000004
【図３】
2005100624.tif 000005
【図４】
2005100624.tif 000006
【図５】
2005100624.tif 000007
【図６】
2005100624.tif 000008